(57)【要約】【課題】本発明は、マグネットの吸着力を利用したディスククランプ装置の、クランプ時のクランプ音を軽減した装置を提供する。【解決手段】本実施の形態のディスククランプ装置は、ディスクを載せることができるターンテーブルと、クランパを保持するクランプ保持部とで構成され、前記ターンテーブルの回動動作で、前記ターンテーブルと前記クランパで前記ディスクを挟み込むクランパ装置であって、前記クランプ保持部は、前記ターンテーブルの回動で前記クランパと前記ターンテーブルが吸着するときに、前記クランパが前記ターンテーブルに前記ターンテーブルの回動支点側で近づくように構成する。【選択図】図１
2012203935.tif 000002
【特許請求の範囲】
【請求項１】
ディスクを載せることができるターンテーブルと、クランパを保持するクランプ保持部とで構成され、前記ターンテーブルの回動動作で、前記ターンテーブルと前記クランパで前記ディスクを挟み込むディスククランプ装置であって、
前記クランプ保持部は、前記ターンテーブルの回動で前記クランパと前記ターンテーブルが吸着するときに、前記クランパが前記ターンテーブルに前記ターンテーブルの回動支点側で近づくように構成することを特徴とするディスククランプ装置。
【請求項２】
ディスクを載せることができるターンテーブルと、クランパを保持するクランプ保持部とで構成され、前記ターンテーブルの回動動作で、前記ターンテーブルと前記クランパで前記ディスクを挟み込むディスククランプ装置であって、
前記クランプ保持部は、前記ターンテーブルの上昇で前記クランパと前記ターンテーブルが吸着するときに、前記クランパが前記ターンテーブルに前記ターンテーブルの回動支点側で近づくように構成することを特徴とするディスククランプ装置。
【請求項３】
前記クランパ保持部は、ディスククランプ装置を構成するための筐体よりも薄くなるように構成することを特徴とする請求項１〜２に記載のディスククランプ装置。
【請求項４】
前記クランパ保持部は、弾性部材で構成することを特徴とする請求項１〜２に記載のディスククランプ装置。
【発明の詳細な説明】
【技術分野】
【０００１】
本発明は、ディスククランプ装置に関する。特に、ＣＤやＤＶＤ等のディスク状の媒体をローディングするディスクローディング装置に設けられ、マグネットの吸着力を利用してディスクをターンテーブル上にクランプするディスククランプ装置に関するものである。
【背景技術】
【０００２】
従来、マグネット吸着力を利用したディスククランプ装置は、マグネットが固定保持されたクランパが、ディスク主面の上方又は下方で待機し、対向するもう一方からヨークが組み込まれたターンテーブルが近づき、マグネット吸着力を利用してディスクをクランプするものが知られている。
【０００３】
特許文献１では、マグネットが取り付けられたディスククランパと、磁性材料からなるターンテーブルとの間で、マグネットの吸着力によりディスクをクランプし、ディスクとターンテーブルが確実に一体となって回転し得るように構成したことが開示されている。
【０００４】
このように、従来のディスククランプ装置は、マグネットの吸着力を利用することにより、ディスクをクランプすることができる。
【先行技術文献】
【特許文献】
【０００５】
【特許文献１】特開平５−５４５０３号公報
【発明の概要】
【発明が解決しようとする課題】
【０００６】
しかしながら、従来のディスククランプ装置の構造では、マグネットとヨークが吸着作用面同士で近づくにつれて、急激に吸着力が大きくなる為、クランプ時にクランパとディスクとの衝突音を発し、装置動作時の品位を悪くするという問題があった。
【０００７】
特に、磁力の大きいマグネットを使った装置や、ディスクを装置に挿入していない状態（マグネットとヨークの距離がディスク厚み分近い）でのクランプ音は、吸着力が大きい為に顕著である。
【０００８】
そこで、本発明は、上記従来の問題点を解決すべく、マグネットの吸着力を下げたり、機構を複雑化せずとも、クランプ時の騒音の小さい（品位の良い）装置を提供することを目的とする。
【課題を解決するための手段】
【０００９】
上記目的を達成するために、本発明のディスククランプ装置は、ディスクを載せることができるターンテーブルと、クランパを保持するクランプ保持部とで構成され、前記ターンテーブルの回動動作で、前記ターンテーブルと前記クランパで前記ディスクを挟み込むクランパ装置であって、前記クランプ保持部は、前記ターンテーブルの回動で前記クランパと前記ターンテーブルが吸着するときに、前記クランパが前記ターンテーブルに前記ターンテーブルの回動支点側で近づくように構成したものである。
【００１０】
このような構成をとることにより、マグネットとヨークの距離が近づく際の急激な吸着力増加を緩和できるという作用を有する。
【発明の効果】
【００１１】
上記の構成によれば、ディスククランプ時の部品間の衝突による騒音（クランプ音）が小さい装置を提供できる。
【図面の簡単な説明】
【００１２】
【図１】実施の形態１にかかるディスククランプ装置の斜視図
【図２】メインブロックを示す平面図
【図３】弾性部を示す平面図
【図４】ディスククランプ動作を示す図
【発明を実施するための形態】
【００１３】
以下、本発明のディスククランプ装置の実施の形態１について、図面を参照しながら説明する。
【００１４】
（実施の形態１）
図１は、実施の形態１にかかるディスククランプ装置の斜視図である。図２は、Ａ方向から見たメインブロック１０１の平面図である。
【００１５】
ディスククランプ装置１００は、メインブロック１０１と、クランパブロック１０２で構成される。
【００１６】
メインブロック１０１は、メインシャーシ１０３と、演奏ユニット１０４と、スライド板１０５と、トレイ１０６で構成される。
【００１７】
スライド板１０５は、メインシャーシ１０３のガイド溝１０７に沿って移動可能に設けられている。
【００１８】
トレイ１０６は、ディスク１０８を設置可能に構成されている。
【００１９】
演奏ユニット１０４は、メインシャーシ１０３に対して支点１０９を支点に装置手前側が回動可能にピン（図示せず）で固定されている。演奏ユニット１０４は、トレイ１０６がＣ方向に進むと、ギア１１０を介して、スライド板１０５の動作で、支点１０９を支点に上方向に回動して上昇する。
【００２０】
クランパブロック１０２は、クランパベース１１１と、クランパユニット１１２と、弾性部１１３で構成される。
【００２１】
図３（ａ）は、ディスククランプ装置におけるＡ方向から見た弾性部１１３の平面図である。図３（ｂ）は、図３（ａ）をＢ方向から見た弾性部１１３の断面図である。
【００２２】
弾性部１１３は、クランパ保持部１１４と、クランパ副保持部１１５で構成される。
【００２３】
クランパ保持部１１４は、クランパベース１１１と第１の接続部１１６で接続される。クランパ副保持部１１５は、クランパベース１１１と第２の接続部１１７で接続される。つまり、弾性部１１３は、第１の接続部１１６と第２の接続部１１７だけでクランパベース１１１に接続される。さらに、クランパ保持部１１４とクランパ副保持部１１５は、弾性部１１３を除くクランパベース１１１よりも薄く構成することで、第１の接続部１１６と第２の接続部１１７を支点として矢印Ｄあるいは矢印Ｅに示す方向に変形可能な弾性を有する。また、クランパ保持部１１４は、クランパユニット１１２を保持可能な穴１１８を構成する。
【００２４】
なお、本実施の形態では、クランパ保持部１１４とクランパ副保持部１１５は、弾性部１１３を除くクランパベース１１１よりも薄く構成しているが、クランパ保持部１１４とクランパ副保持部１１５を弾性部材で構成しても良い。
【００２５】
クランパ副保持部１１５は、クランパ保持部１１４と第３の接続部１１９で接続されるとともに、クランパベース１１１と第２の接続部１１７で接続される。
【００２６】
次に、図４（ａ）〜（ｄ）を用いて、ディスククランプ動作を説明する。
【００２７】
図４（ａ）は、演奏ユニット１０４が回動開始する前の状態を示す。ディスク１０８は、トレイ１０６に設置されて矢印Ｃ方向に搬送される。このとき、演奏ユニット１０４は下方に停止しており、弾性部１１３はクランパユニット１１２を水平に保持している。つまり、演奏ユニット１０４が回動する前には、マグネット１２０が、ヨーク１２１を引きつけない程度の磁力をもつように構成されている。
【００２８】
図４（ｂ）は、演奏ユニット１０４が支点１０９を支点に矢印Ｆ方向に回動し始めた状態を示す。演奏ユニット１０４が支点１０９を支点に回動し始めると、マグネット１２０のヨーク１２１に対する吸着力（磁力）が、互いの距離が近づくにつれ、徐々に大きくなる。これにより、クランパユニット１１２は、上昇して近づくマグネット１２０から吸着力を受けはじめる。クランパ副保持部１１５が弾性を有しているため、クランパ副保持部１１５は演奏ユニットの方向に引っ張られる。これにより、クランパ１２２は、ディスク搬送方向であるＣ方向に向かって下方に傾斜することになる。
【００２９】
さらに、演奏ユニット１０４の回動が進むと、クランパ１２２とディスク１０８が接点１２３で点接触する。図４（ｃ）は、クランパ１２２とディスク１０８が接点１２３で点接触した状態、即ちクランプを開始した状態を示す。
【００３０】
さらに、Ｇ方向に演奏ユニット１０４の回動が進むと、マグネット１２０が接点１２３の方向からヨーク１２１に吸着しながら、ターンテーブル１２４がクランパ１２２を持ち上げる。これにより、クランパ保持部１１４とクランパ副保持部１１５が徐々に水平に戻る。図４（ｄ）は、クランパ保持部１１４とクランパ副保持部１１５が完全に水平になった状態、すなわちディスククランプの動作が完了した状態を示す。
【００３１】
ディスク１０８をクランパユニット１１２とターンテーブル１２４でクランプする時のディスククランプ音は、クランパ１２２とディスク１０８が接点１２３で最初に点接触し、図４（ｃ）の状態から図４（ｄ）の状態まで、マグネット１２０が接点１２３の方向からヨーク１２１に吸着するので、マグネットの吸着力は緩やかに作用し、クランパ１２２とディスク１０８の衝突音は発生しにくくなる。
【００３２】
（他の実施の形態）
実施の形態１において、演奏ユニットが回動して上昇し、ディスククランプ動作完了時に水平となる構成としたが、これには限らない。演奏ユニットが水平のまま垂直に上昇する構成でもよい。
【００３３】
本発明はマグネットの吸引力でディスクをクランプする際にクランパ保持部の後方が必ず傾斜する構成であるため、ターンテーブルが水平のまま上昇して近づいた場合でも、クランパは装置後方（実施の形態１の例示において支点１０９側）から点接触して徐々に相対角度が小さくなる動作となる為、実施の形態１と同様の効果が得られる。
【００３４】
また、実施の形態１おいて、マグネットはターンテーブルユニット内部に、ヨークはクランパユニット内部に構成したが、逆でも同様の効果が得られる。
【産業上の利用可能性】
【００３５】
本発明は、マグネットの吸引力を利用してディスク状の媒体をターンテーブル上に押圧保持するディスククランプ装置に関するものであって、ディスクをクランプする際の衝撃音が小さい装置を提供できる。そのため、本発明は、高速なディスク回転・加減速の際に、ディスクをターンテーブルとの間でスリップを防止する為に強いマグネット吸引力が必要な光ディスク装置（例えばパソコン用ＤＶＤドライブや、ブルーレイディスクレコーダー）に適用できる。
【符号の説明】
【００３６】
１００  ディスククランプ装置
１０１  メインブロック
１０２  クランパブロック
１０３  メインシャーシ
１０４  演奏ユニット
１０５  スライド板
１０６  トレイ
１０７  ガイド溝
１０８  ディスク
１０９  支点
１１０  ギア
１１１  クランパベース
１１２  クランパユニット
１１３  弾性部
１１４  クランパ保持部
１１５  クランパ副保持部
１１６  第１の接続部
１１７  第２の接続部
１１８  穴
１１９  第３の接続部
１２０  マグネット
１２１  ヨーク
１２２  クランパ
１２３  接点
１２４  ターンテーブル
【図１】
2012203935.tif 000003
【図２】
2012203935.tif 000004
【図３】
2012203935.tif 000005
【図４】
2012203935.tif 000006